(57)【要約】【課題】洗面所やトイレ等にて使用される手乾燥装置において、手検知手段の外来光の影響が無く、汚れの影響が無く、複数個使用する必要が無く、待機時の消費電力が少ない手乾燥装置を提供することを目的とする。【解決手段】本体上部に設けた手乾燥室２と、前記手乾燥室２の上部入口に設けたノズル部３と、前記手乾燥室２の入口前後両側それぞれの内部に、ほぼ左右両端にまたがる金属板４と、前記２枚の金属板４に電気接続し、静電容量検知を行う手検知手段５と、前記手検知手段５からの信号により電動送風機６を動作させる制御部７を有し、前記金属板４がほぼ左右両端まであるため前記手乾燥室全体で手を検知でき、本体樹脂ケース内部に設けられた、前記２枚の金属板４間の静電容量検知であるため、外来光の影響は無く、汚れの影響も無く、消費電力も少なくすることができる手乾燥装置１が得られる。【選択図】図１
2014117548.tif 000002
【特許請求の範囲】
【請求項１】
手を乾燥させる手乾燥室と、前記手乾燥室の上部入口付近にノズル部と、前記乾燥室の入口前後両側それぞれの本体ケース内部に、ほぼ左右両端にまたがる金属板と、前記２枚の金属板両側に電気接続する手検知手段と、前記手検知手段に電気接続する制御部と、前記制御部により駆動される電動送風機より構成される手乾燥装置。
【発明の詳細な説明】
【技術分野】
【０００１】
本発明は、洗面所やトイレ等にて手洗いを行ったのち、濡れた手を乾燥させる手乾燥装置に関する。
【背景技術】
【０００２】
従来、この種の手乾燥装置では、手が挿入されて、ノズルから風速の速い噴流を吹き出し、手の水滴を飛ばし、乾燥させるものにおいて、手を検知するための手段として赤外線の発光部と受光部からなる手段が知られていた（例えば特許文献１参照）。
【０００３】
以下、その手乾燥装置について図３を参照しながら説明する。
【０００４】
図３に示すように、手乾燥装置１０１は本体上部に設けた手乾燥室１０２と、前記手乾燥室１０２の上部入口付近にノズル部１０３と、前記ノズル部１０３の近傍に赤外線発光受光センサーからなる手検知手段１０４と、前記手検知手段１０４の信号により電動送風機１０５を動作させる制御部１０６を有し、前記手乾燥室１０２に手が挿入された時に、前記手検知手段１０４が手を検知し、前記手検知手段１０４の信号により前記制御部１０６は、前記電動送風機１０５を動作させ、前記ノズル部１０３より、風速の速い噴流を吹き出し、手の水滴を吹き飛ばし、乾燥させるものである。
【先行技術文献】
【特許文献】
【０００５】
【特許文献１】特許第３９９４６４７号公報（段落番号００２６，図３）
【発明の概要】
【発明が解決しようとする課題】
【０００６】
このような従来の手乾燥装置の手検知手段の方法では、太陽光、照明などの外来光の影響によって赤外線受光センサーが誤検知する、赤外線発光受光センサーの発光受光部表面が汚れ、手を検出しにくくなる、手乾燥室の全ての場所で挿入された手を検知するには、手検知センサーを複数個取付ける必要がある、手を検知するために赤外線発光受光センサーは発光、受光を常時していなければならず、待機時の消費電力がかかる、という課題があった。
【０００７】
本発明は、上記従来の課題を解決するもので、手検知手段の太陽光、照明などの外来光の影響が無く、手検知手段の表面が汚れることによる手検知への影響が無く、手検知手段を複数個使用する必要が無く、待機時の消費電力が少ない手乾燥装置を提供することを目的としている。
【課題を解決するための手段】
【０００８】
本発明の手乾燥装置は、上記目的を達成するために、手乾燥室の入口前後両側それぞれの本体樹脂ケース内部に、ほぼ左右両端にまたがる金属板と、前記２枚の金属板に電線で接続し、前記２枚の金属板間の静電容量を計測し、前記２枚の金属板間に、手が挿入された時の、静電容量の変化により、手の検知を行う手検知手段を有する。
【０００９】
前記２枚の金属板は、ほぼ左右両端まであるため、前記乾燥室全体で手を検知でき、小さな静電容量に電流を流す計測であるため、消費電力は少ない。
【００１０】
この手段により、手検知手段の太陽光、照明などの外来光の影響が無く、手検知手段の表面が汚れることによる影響が無く、手検知手段を複数個使用する必要が無く、待機時の消費電力が少ない手乾燥装置が得られる。
【発明の効果】
【００１１】
本発明によれば、手検知手段の太陽光、照明などの外来光の影響が無く、手検知手段の表面が汚れることによる手検知への影響が無く、手検知手段を複数個使用する必要が無く、待機時の消費電力が少ない手乾燥装置を提供できる。
【図面の簡単な説明】
【００１２】
【図１】本発明の実施の形態１の手乾燥装置の構成を示す概略図
【図２】本発明の実施の形態１の手乾燥装置の構成を示す概略図
【図３】従来の手乾燥装置の構成を示す概略図
【発明を実施するための形態】
【００１３】
本発明の請求項１記載の発明は、本体上部に設けた手乾燥室と、前記手乾燥室の入口前後両側それぞれの本体樹脂ケース内部に、ほぼ左右両端にまたがる金属板と、前記２枚の金属板に電線で接続し、前記２枚の金属板間の静電容量計測し、前記２枚の金属板間に、手が挿入された時の、静電容量の変化により手の検知を行う手検知手段を有し、前記２枚の金属板は、ほぼ左右両端まであるため、前記乾燥室全体で手を検知でき、小さな静電容量に電流を流す計測であるため、消費電力は少ない。
【００１４】
前記手検知手段において、太陽光、照明などの外来光の影響は無く、手検知手段の表面が汚れることによる影響が無く、手検知手段を複数個使用する必要が無く、待機時の消費電力が少ないという作用を有する。
【００１５】
以下、本発明の実施の形態について図面を参照しながら説明する。
【００１６】
（実施の形態１）
図１、図２に示すように、手乾燥装置１は本体上部に設けた手乾燥室２と、前記手乾燥室２の上部入口付近に設けた複数のノズル部３と、前記手乾燥室２の入口の前後両側それぞれの本体樹脂ケース内部に、ほぼ左右両端にまたがる金属板４と、前記２枚の金属板４に電線で接続し、前記２枚の金属板４間の静電容量を計測し、前記２枚の金属板４間に、手が挿入された時の、静電容量の変化により、手の検知を行う手検知手段５、たとえば静電容量コンバータＩＣを用いた回路と、前記手検知手段５からの信号により電動送風機６を動作させる制御部７より構成される。
【００１７】
前記手検知手段５の判定方法について説明する。
【００１８】
前記２枚の金属板間に、導体である金属が挿入された場合、前記２枚の金属板間の距離が短くなる。静電容量は距離に反比例するため、前記２枚の金属板間の静電容量は大きくなる。また、前記２枚の金属板間に、絶縁物である誘電体が挿入された場合も、誘電体は空気より誘電率が大きいため、前記２枚の金属板間の静電容量は大きくなる。
【００１９】
しかし、前記２枚の金属板間に、人の体の一部である手が挿入された場合、人は大きな導体の塊であり、手が挿入された部分では、接地された導体と同様に、静電遮蔽の状態と考えられ、人と前記２枚の電極板の距離が、十分な距離であれば、前記２枚の金属板間の静電容量は小さくなる。前記十分な距離は、経験値から５０ｍｍ以上あればよい。
【００２０】
よって、前記手検知手段５は、前記２枚の金属板間の静電容量が減少した場合に、手が挿入されたと判定し、前記制御部７へ手を検知した信号を送るものである。
【００２１】
上記構成において、手が前記手乾燥室２に挿入された時に、前記２枚の金属板４間の静電容量が減少し、前記手検知手段５から手を検知した信号を、前記制御部７に送り、前記制御部７が前記電動送風機６を動作させ、前記ノズル部３より、風速の速い噴流を吹き出し、手の水滴を吹き飛ばし、乾燥させる。
【００２２】
前記２枚の金属板４はほぼ左右両端まであるため前記手乾燥室２全体で手を検知でき、数１０ｐＦ以下の小さな静電容量に電流を流す計測であるため、消費電力は少なく、本体樹脂ケース内部に設けられた、前記２枚の金属板４間の静電容量検知であるため、太陽光、照明などの外来光の影響が無く、汚れの影響も無くすことができる。
【産業上の利用可能性】
【００２３】
人間の手など一部分の検出を行う機器の事柄において、利用することができる。
【符号の説明】
【００２４】
１    手乾燥装置
２    手乾燥室
３    ノズル部
４    金属板
５    手検知手段
６    電動送風機
７    制御部
１０１  手乾燥装置
１０２  手乾燥室
１０３  ノズル部
１０４  手検知手段
１０５  電動送風機
１０６  制御部
【図１】
2014117548.tif 000003
【図２】
2014117548.tif 000004
【図３】
2014117548.tif 000005